(57)【要約】【課題】敷居上面に戸の脚のガイド溝なしで戸下端をガイドさせる。【解決手段】戸１２の下端に戸の幅いっぱいのリンク４と敷居に取付けたリンク幅いっぱいの長さの軸４ｃを軸受けで支持し、戸が横方向に振れないようにガイドできるようにした。これにより敷居上面に戸の脚をガイドするガイド溝をなくすことができた。また敷居は前記ガイド溝がないので戸袋部分に敷居が不要となり敷居全長を短くでき安価にすることができた。またガイド溝がないので敷居溝に塵がつまりによる戸閉装置の故障をなくすことができた。【選択図】  図３
2009166970.tif 000002
【特許請求の範囲】
【請求項１】
複数の戸とハンガーローラとレールと駆動装置を備えたエレベータ戸閉装置において戸下端と敷居をガイドリンクで接続し前記戸の下端をガイドさせることを特徴とするエレベータの戸ガイド装置。
【請求項２】
前記ガイドリンクのリンク部材は略戸の幅いっぱいに形成し、軸の長さをリンクの幅いっぱいに形成したことを特徴とする請求項１項に記載のエレベータの戸ガイド装置。
【請求項３】
前記戸閉装置は戸袋部分の敷居上面に第１のガイドレールを備えそれに摺動するガイド溝を戸下端に備えたことを特徴とする請求項１項、および請求項２項に記載のエレベータの戸ガイド装置。
【請求項４】
前記戸閉装置は低速の戸に第２のガイドレールを備えそれに摺動するガイドシューを中速の戸、または高速の戸下端に備えたことを特徴とする請求項１項から請求項３項に記載のエレベータの戸ガイド装置。
【請求項５】
前記戸閉装置は中速の戸に第３のガイドレールを備えそれに摺動するガイドシューを高速の戸下端に備えたことを特徴とする請求項１項から請求項４項に記載のエレベータの戸ガイド装置。
【発明の詳細な説明】
【技術分野】
【０００１】
この発明は戸閉装置の戸下端のガイドに関する技術である。
【背景技術】
【０００２】
従来は、出入口は板戸によって開閉される。板戸は、出入口の上縁部に設けられたレールにハンガーローラを介して吊り下げられて戸閉駆動装置で開閉される。板戸の下縁部からは、戸の脚が下方向に突出している。戸の脚は、出入口の下縁部に設けられた敷居上面の案内溝に挿入されている。出入口の板戸が開閉される際には、戸の下部は、戸の脚を介して案内溝に案内される（例えば、特許文献１参照）。
また敷居上面の案内溝は躓く惧があるため敷居上面の溝を敷居の下面に設けて戸の脚を敷居上面から敷居前面を通し敷居下面の溝まで延ばしたものがあった（例えば、特許文献２参照）。
【０００３】
【特許文献１】特開平１１−２４０６８３
【特許文献２】特開平３−２３２６８３
【発明の開示】
【発明が解決しようとする課題】
【０００４】
特許文献１の戸閉機構では敷居上面に戸の脚をガイドする溝があるため老人や身障者が躓くといった問題があった。また前記案内溝に蓄積した塵に戸の脚が引っ掛かり戸閉機構の故障の原因にもなると言った問題があった。
特許文献２の戸閉機構では敷居上面にはガイド溝がなく躓くことはない。しかし戸の脚が敷居前側へ曲り込み敷居下面に入れ込むため敷居下の前垂れ（エプロン）に戸の脚が通る切欠が水平方向に必要になり、着床誤差がある場合にはそこに足などが挟まれる惧があった。
【課題を解決するための手段】
【０００５】
この発明は、かかる問題点を解決するためになされたもので、複数の戸とハンガーローラとレールと駆動装置を備えたエレベータ戸閉装置において戸の下端と敷居をガイドリンクで接続しガイドさせるようにしたものである。
【０００６】
これにより敷居上面のガイド溝をなくすことができ、躓きの事故を減らすことができる。
また敷居下面に戸の脚のガイド溝があるものに比べては、敷居下面に廻す戸の脚がないため前垂れに水平方向の切欠が要らないので、着床誤差がある場合にはそこに足などが挟まれることがなく安全性を向上させることができる。
【０００７】
実施の形態１.
図１はこの発明の実施の形態１のかご出入口正面図で戸全閉を示す、図２は図１のかご出入口正面図で戸全開を示す、図３は図１の斜視図、図４は図２の斜視図である。      
図において、１ａはかご出入口柱、１ｂはかご戸当柱、１ｃはかご袖壁、１ｄはかご操作盤、２は高速の戸、２ａは切欠、３は低速の戸、３ａは切欠、４はガイドリンク、４ａはリンク部材、４ｂはリンク部材、４ｃは軸、４ｄは軸受、５はガイドリンク、５ａはリンク部材、５ｂはリンク部材、５ｃは軸受、６は敷居、７は前垂れ（エプロン）、８は床表板、９は床前梁、１４は戸閉装置桁、１５は戸閉駆動モータ、１５ａはモータプーリー、１６はハンガーローラ取付板、１７はハンガーローラ、１８はアップスラストローラ、１９は高速の戸駆動プーリー、２０は低速の戸駆動プーリー、２１は駆動プーリー、２２は戸のレール、２３、２４はロープ止板、２５、２６は伝動ロープである。
【０００８】
本例では２Ｓ戸閉装置（２枚戸片開き戸）に本案を採用した例を示す。
各戸をガイドリンクで敷居と接続したもので戸の開閉方向にはガイドリンクは抵抗無く追従できるように構成し、各リンク部材を戸の幅より表板と裏板を除いたいっぱいの幅に形成し軸の長さもリンク部材の幅いっぱいを支持できるようにした。これによりリンクが横方向の振れを抑えて戸をガイドすることができる。
【０００９】
この発明は、以上に説明したように構成されているので、以下に記載されるような効果を奏する。
【００１０】
ガイドリンクは戸内部と戸裏面で戸袋部分の敷居とを接続したため乗客からは見えなく戸をガイドすることができる。このため敷居上面に戸の脚をガイドする溝が不要で敷居溝での躓きをなくすことができる。
また従来の戸閉装置のように敷居に戸の脚のガイド溝がないので、戸袋部分に敷居が不要となる。このため敷居長さを短くできる。これにより敷居の溝加工費と敷居の材料費を少なくすることもできる。  
また敷居溝がないので溝に詰った塵による戸閉機構の故障を防ぐことができる。
【００１１】
本例ではかごの戸での実施例を示したが、図示は省略したがかごと同様に乗場の戸にも適用できる。乗場の戸に適用する場合は、乗場からガイド機構が見えないように戸の昇降路側にガイド機構を配置する。
【００１２】
実施の形態２.
図５はこの発明の実施の形態２のかご出入口正面図で戸全閉を示す、図６は図５のかご出入口正面図で戸全開を示す、図７は図５の斜視図、図８は図６の斜視図、図９は戸下端の戸下端の側面図である。
図において、１２は高速の戸、１２ａはガイド板（ガイドシュー）、１２ｂは切欠溝、１２ｃはU字型ガイドレール、１２ｄは取付ネジ、１３は低速の戸、１３ａはガイド板（ガイドシュー）、１３ｂは切欠溝、１３ｃはL字型ガイドレール、１３ｄは取付ネジである。  
【００１３】
本例ではやはり２枚戸片開き戸閉装置に本案を採用した例を示し、高速の戸は実施の形態１と同様にガイドリンクにより戸をガイドする。低速の戸は戸袋部分の敷居にL字形状のガイドレールを備え、それを嵌めるガイド板（ガイドシュー）と切欠き溝を低速の戸に形成した。更に低速の戸の側面にU字型のガイドレールを備え、それを嵌めるガイド板と切欠き溝を高速の戸に形成した。
【００１４】
これにより低速の戸は戸袋部分のL字形状のガイドレールでガイドでき、しかも高速の戸にもU字型ガイドレールで低速の戸はガイドされる。
このため確実に戸をガイドすることができる。
これにより実施の形態１と同様な効果を得ることができる。 
【００１５】
実施の形態３.
図１０は実施の形態３のかごの出入口正面図である。図において、２７はかごの戸である。
本実施例ではＣＯ戸閉装置（２枚戸中央開き戸）に実施の形態１と同じガイドリンクを使用して左右の扉をそれぞれリンクでガイドしたものである。
【００１６】
効果については実施の形態１と同様であるが戸が左右に各１枚のためストロークがすくないためリンクは小さくてよく、振れが少なく効率的にガイドできる。
【００１７】
実施の形態４.
図１１は実施の形態４のかごの出入口正面図である。図において、２８は高速の戸、２９は低速の戸である。本例では２ＣＯ戸閉装置（４枚戸中央開き戸）に本案を採用した例で実施の形態１と同じ装置を左右に対称に２組使用したものである。
【００１８】
効果については実施の形態１と同様である。
【００１９】
実施の形態５.
図１２は実施の形態５のかごの出入口正面図、図１３は図１２の戸下端の側面図である。図において、３０は高速の戸、３１は中速の戸、３２は低速の戸である。
本例では３Ｓ戸閉装置（３枚戸片開き戸）への採用例を示す。実施の形態２と同様に低速の戸は戸袋の敷居に備えたＬ字形状のガイドレールと戸の下面に備えたガイド溝のガイドシューによりガイドして、中速の戸は低速の戸に備えたＵ字型レールに中速の戸下面のガイド溝のガイドシューにより中速の戸をガイドさせる。さらに中速の戸にＵ字型レールを備え高速の戸の下面に前記Ｕ字型レールをガイドする溝とガイドシューを備える。
【００２０】
このため中速の戸は低速の戸にガイドされ、同時に高速の戸にも中速の戸はガイドされ、両方からガイドされるため確実にガイドできる。
【図面の簡単な説明】
【００２１】
【図１】この発明の実施の形態１のかご出入口正面図で戸全閉を示す。
【図２】図１のかご出入口正面図で戸全開を示す。
【図３】図１の斜視図。
【図４】図２の斜視図。
【図５】この発明の実施の形態２のかご出入口正面図で戸全閉を示す。
【図６】図５のかご出入口正面図で戸全開を示す。
【図７】図５の斜視図。
【図８】図６の斜視図。
【図９】戸下端の側面図。
【図１０】実施の形態３のかごの出入口正面図。
【図１１】実施の形態４のかごの出入口正面図。
【図１２】実施の形態５のかごの出入口正面図。
【図１３】図１２の戸下端の側面図。
【符号の説明】
【００２２】
１ａはかご出入口柱、１ｂはかご戸当柱、１ｃはかご袖壁、１ｄはかご操作盤、２は高速の戸、２ａは切欠、３は低速の戸、３ａは切欠、４はガイドリンク、４ａはリンク部材、４ｂはリンク部材、４ｃは軸、４ｄは軸受、５はガイドリンク、５ａはリンク部材、５ｂはリンク部材、５ｃは軸受、６は敷居、７は前垂れ（エプロン）、８は床表板、９は床前梁、１２は高速の戸、１２ａはガイド板（ガイドシュー）、１２ｂは切欠溝、１２ｃはU字型ガイドレール、１２ｄは取付ネジ、１３は低速の戸、１３ａはガイド板（ガイドシュー）、１３ｂは切欠溝、１３ｃはL字型ガイドレール、１３ｄは取付ネジ１４は戸閉装置桁、１５は戸閉駆動モータ、１５ａはモータプーリー、１６はハンガーローラ取付板、１７はハンガーローラ、１８はアップスラストローラ、１９は高速の戸駆動プーリー、２０は低速の戸駆動プーリー、２１は駆動プーリー、２２は戸のレール、２３、２４はロープ止板、２５、２６は伝動ロープ、２７はかごの戸、２８は高速の戸、２９は低速の戸、３０は高速の戸、３１は中速の戸、３２は低速の戸
【図１】
2009166970.tif 000003
【図２】
2009166970.tif 000004
【図３】
2009166970.tif 000005
【図４】
2009166970.tif 000006
【図５】
2009166970.tif 000007
【図６】
2009166970.tif 000008
【図７】
2009166970.tif 000009
【図８】
2009166970.tif 000010
【図９】
2009166970.tif 000011
【図１０】
2009166970.tif 000012
【図１１】
2009166970.tif 000013
【図１２】
2009166970.tif 000014
【図１３】
2009166970.tif 000015